(57)【要約】【課題】内筒或いは可動障害子が回転中に鍵を引いた時、同一深さの切込みが隣接している台形形状の鍵山形突出部が他方側の可動障害子に対して係止機能を発揮させ、これにより引き抜き強度が強くすること。【解決手段】鍵Ｙの挿入軸部分１１の少なくとも一辺には、挿入軸部分１１の位置によって深い・浅いの差違を有する複数個の切込み１２が挿入軸方向にそれぞれ鍵山形突出部１３，１３ａを介して連続的に形成されており、前記鍵山形突出部１３，１３ａの内、前後に隣同士の可動障害子（６ａ，６ｂ）を受け面１５，１５で受ける略同一深さの切込み１２ｂ，１２ｂの間に位置する鍵山形突出部１３ａは、前記前後の受け面１５，１５から台形形状に突出することを特徴とするタンブラー錠用の鍵。【選択図】　図５
2004036124.tif 000002
【特許請求の範囲】
【請求項１】
鍵Ｙの挿入軸部分１１の少なくとも一辺には、挿入軸部分１１の位置によって深い・浅いの差違を有する複数個の切込み１２が挿入軸方向にそれぞれ鍵山形突出部１３，１３ａを介して連続的に形成されており、前記鍵山形突出部１３，１３ａの内、前後に隣同士の可動障害子（６ａ，６ｂ）を受け面１５，１５で受ける略同一深さの切込み１２ｂ，１２ｂの間に位置する鍵山形突出部１３ａは、前記前後の受け面１５，１５から台形形状に突出することを特徴とするタンブラー錠用の鍵。
【請求項２】
請求項１に於いて、全ての鍵山形突出部１３，１３ａの先端部にはカット面１４がそれぞれ設けられ、これらのカット面１４は、タンブラー錠Ｘの鍵孔１に挿入軸部分１１に差し込んだ時、摺接関係が生ずるタンブラーピン６の先端部の先端面と面状態に摺接して当該タンブラーピン６を付勢バネ４のバネ力に抗して押し下げ状態にすることを特徴とするタンブラー錠用の鍵。
【請求項３】
請求項１に於いて、同一切込み間の鍵山形突出部１３ａが、挿入軸部分１１の先端部１１ａから摘み部１０側の基部１１ｂまでの間に、異なる切込み間の鍵山形突出部１３を介して複数個設けられていることを特徴とするタンブラー錠用の鍵。
【請求項４】
鍵Ｙ１の挿入軸部分１１Ａには、挿入軸部分１１Ａの位置によって深い・浅いの差違を有する複数個の切込み１２が挿入軸方向にそれぞれ鍵山形突出部１３，１３ａを介して連続的に、かつ、上下対称に形成されており、前記鍵山形突出部１３，１３ａの内、前後に隣同士の可動障害子（６ａ，６ｂ）を受け面１５，１５で受ける略同一深さの切込み１２ｂ，１２ｂの間に位置する鍵山形突出部１３ａは、前記前後の受け面１５，１５から台形形状に突出することを特徴とするタンブラー錠用の鍵。
【請求項５】
請求項４に於いて、鍵Ｙ１は、パチンコ機の開閉戸の錠前用であることを特徴とするタンブラー錠用の鍵。
【発明の詳細な説明】
【０００１】
【発明の属する技術分野】
本発明はピンタンブラー錠、ディスクタンブラー錠などタンブラー錠用鍵に関する。
【０００２】
【従来の技術】
例えばピンタンブラー錠用鍵の挿入軸部分の少なくとも一辺には、挿入軸部分の位置によって深い・浅いの差違を有する複数個の切込みが形成されている。これらの切込みの間には、台形状と山形状の鍵山形突出部が適宜に複数個設けられている。
【０００３】
ところで、鍵山形突出部の中でもその先端部が尖鋭山形状である場合には、鍵をポケットに入れた場合に被服に引っ掛かかるし、また鍵の鍵山形突出部に指を押し当てると痛いという問題点があった。
【０００４】
また当業者の間では、「コレクトカット」と称する用語がある。ここで「コレクトカット」とは、同一レベルの受け面で受ける一つの切込み内に前後に隣同士の可動障害子が入り込み、該隣同士の可動障害子の間には、可動障害子と摺接し合う鍵山形突出部が設けられていない比較的大きな切込み形状のことを言う。したがって、挿入軸部分にコレクトカットを有する鍵は、鍵の抜けない回転位置（例えば４５度の所）で鍵を強制的に引っ張ると、引き抜き強度が弱いという問題点（例えばバンチコ機の開閉戸の場合には、鍵の摘み部がノブの役割をするので不向きある。）があった。
【０００５】
【発明が解決しようとする課題】
本発明の第１の目的は、内筒或いは可動障害子が回転中に鍵を引いた時、同一深さの切込みが隣接している台形形状の鍵山形突出部が他方側の可動障害子に対して係止機能を発揮させ、これにより引き抜き強度を強くすることである。第２の目的は、鍵の差込挿入時、可動障害子（例えばピンタンブラー、ロータリーディスクタンブラーなど）を内筒或いは外筒の半径方向へ押し下げる移動量を少なくし、これにより可動障害子に対する負荷を少なくすると共に、鍵をポケットに入れた場合に被服に引っ掛からない、鍵の鍵山形突出部に指を押し当てても痛くないタンブラー錠用の鍵を提供することである。
【０００６】
【課題を解決するための手段】
本発明のタンブラー錠用の鍵は、鍵Ｙの挿入軸部分１１の少なくとも一辺には、挿入軸部分１１の位置によって深い・浅いの差違を有する複数個の切込み１２が挿入軸方向にそれぞれ鍵山形突出部１３，１３ａを介して連続的に形成されており、前記鍵山形突出部１３，１３ａの内、前後に隣同士の可動障害子（６ａ，６ｂ）を受け面１５，１５で受ける略同一深さの切込み１２ｂ，１２ｂの間に位置する鍵山形突出部１３ａは、前記前後の受け面１５，１５から台形形状に突出することを特徴とする。
【０００７】
また本発明のタンブラー錠用の鍵は、鍵Ｙ１の挿入軸部分１１Ａには、挿入軸部分１１Ａの位置によって深い・浅いの差違を有する複数個の切込み１２が挿入軸方向にそれぞれ鍵山形突出部１３，１３ａを介して連続的にかつ上下対称に形成されており、前記鍵山形突出部１３，１３ａの内、前後に隣同士の可動障害子（６ａ，６ｂ）を受け面１５，１５で受ける略同一深さの切込み１２ｂ，１２ｂの間に位置する鍵山形突出部１３ａは、前記前後の受け面１５，１５から台形形状に突出することを特徴とする。
【０００８】
【発明の実施の形態】
図１乃至図４は、本発明の第１実施例を示す各説明図である。図１に於いて、Ｘは作動ピン形式のタンブラー錠、一方、Ｙはタンブラー錠Ｘの鍵孔に挿脱される鍵である。タンブラー錠には区分けすると、ピンタンブラー錠とディスクタンブラー錠の２種類があるが、ここではピンタンブラー錠Ｘに適用して説明する。
【０００９】
ピンタンブラー錠Ｘは、軸芯方向に鍵孔１が形成された内筒２と、この内筒２に外嵌合する外筒３とから成る。外筒３は図示しない開閉扉に固着具を介して固定される。これに対して内筒２は前記鍵Ｙの操作により所定範囲まで内筒の周方向に回転する。４は外筒側に設けられた付勢バネ、５は外筒側に設けられたドライバーピン、６は内筒側に設けられた可動障害子としてのタンブラーピンである。
【００１０】
複数個のドライバーピン５並びにタンブラーピン６は鍵孔（軸芯）方向に所定間隔を有して収納配列されている。また各ドライバーピン５並びにタンブラーピン６は、合鍵Ｙの挿入軸部分１１を鍵孔１に差し込むと、付勢バネ４のバネ力に抗してそれぞれ後退乃至進退動する。この時各ドライバーピン５の鍵孔１に突出する先端部５ａは、合鍵Ｙの挿入軸部分１１に摺接して内筒の半径方向に後退する。その結果、各ドライバーピン５の後端部（内端部）５ｂはシアーライン（外筒と内筒の間）７に揃う。
【００１１】
ピンタンブラー錠Ｘは、合鍵Ｙが鍵孔１に挿入された時、各ドライバーピン５と各タンブラーピン６との接合面がシアーライン７に揃うように構成されているから、合鍵Ｙでもって内筒２を解錠位置まで回すことができる。
【００１２】
次に鍵Ｙについて説明する。鍵Ｙは、普通一般に使用されているフラットキーである。この鍵Ｙは、家屋の扉や遊技機（例えばパチンコ機）の開閉扉に設けられたピンタンブラー錠Ｘを開閉するために使用される。鍵Ｙは、摘み部１０と、この摘み部１０から延伸する挿入軸部分１１とから成る。なお、鍵Ｙはパチンコ機の開閉戸の錠前に使用される時は、その摘み部はノブの役割を果す。
【００１３】
前記挿入軸部分１１の中央部には水平状態のガイド溝（図示しない）が形成されている。このガイド溝は、例えば挿入軸部分１１の表面に１本、裏面に１又は２本形成されている。ガイド溝は、専用機、フライス盤などの切削機や金型を使用したプレス加工によって形成される。
【００１４】
また前記挿入軸部分１１の少なくとも一辺には、挿入軸部分１１の位置によって深い・浅いの差違を有する複数個の切込み１２が挿入軸方向にそれぞれ鍵山形突出部１３，１３ａを介して連続的に形成されている。
【００１５】
しかして、前記全ての鍵山形突出部１３，１３ａの先端部には、図示しない切削機で水平状態にカットされたカット面１４が設けられ、これらのカット面１４は、ピンタンブラー錠Ｘの鍵孔１に挿入軸部分１１に差し込んだ時は、摺接関係が生ずる可動障害子６の先端部の先端面と面状態に摺接して当該可動障害子（タンブラーピン）６を付勢バネ４のバネ力に抗して押し下げ状態にする。
【００１６】
また前記切込み１２は、図２で示すように、本実施例では切込みの深さが一番浅い１番切込み１２ａと、該１番切込み１２ａよりも切込みの深さがある２番切込み１２ｂと、この２番切込み１２ｂよりも切込みの深さがある３番切込み１２ｃの３種類に区別されている。
【００１７】
しかして、図３で示すように、本実施例では前後（挿入軸方向）に隣同士のタンブラーピン６ａ，６ｂを同一レベルの水平受け面１５，１５で受ける略同一深さの切込み１２ｂ，１２ｂの間には、前後の水平受け面１５，１５から台形形状に突出する鍵山形突出部１３ａが設けられている。なお、ここでは深さが相違する前後の切込みの間にある鍵山形突出部の符号を「１３」とし、この鍵山形突出部１３と区別するために、略同一深さの切込み（例えば１２ｂ，１２ｂの切込み）間に位置する鍵山形突出部を、説明の便宜上、符号「１３ａ」とする。
【００１８】
したがって、図２で示す鍵Ｙの挿入軸部分１１の上辺には、同一切込み間の鍵山形突出部１３ａが、その先端部１１ａから摘み部１０側の基部１１ｂに至るまで、異なる切込み間の鍵山形突出部１３を介して合計３個設けられている。
【００１９】
上記構成に於いて、ピンタンブラー錠Ｘの鍵孔１に鍵Ｙの挿入軸部分１１に差し込んだ時は、挿入軸部分１１の挿入具合によって逐一摺接関係が生ずるタンブラーピン６の先端部は、まず鍵山形突出部１３（１３ａ）の前方後方傾斜面１６と摺接する。例えば鍵山形突出部１３（１３ａ）の前方傾斜面１６がタンブラーピン６の先端部の外周壁面に押圧状態に摺接すると、当該タンブラーピン６は摺接関係にある鍵山形突出部１３（１３ａ）によって押し下げられる。
【００２０】
次に前方傾斜面１６が先端部の外周壁面を通過するや否や、鍵山形突出部１３（１３ａ）のカット面１４は、タンブラーピン６の先端面と面状態に摺接し、当該タンブラーピン６を付勢バネ４のバネ力に抗して押し下げ状態にする。次いで挿入軸部分１１が鍵孔１の奥へと進むと、当該タンブラーピン６は鍵山形突出部１３（１３ａ）の後方傾斜面１７を滑り、切込み１２に落ち込む。
【００２１】
ところで、鍵Ｙの挿入軸部分１１をピンタンブラー錠Ｘの鍵孔１に完全に差し込んだ後、鍵Ｙを所定の位置まで回転する途中に鍵を引き抜こうとした場合或いは鍵を引き抜く方向に力が入った場合には、図４で示すように、略同一深さの切込み１２ｂ，１２ｂの間にある台形形状の鍵山形突出部１３ａの後方傾斜面１７に後方側のタンブラーピン６ｂが引っ掛かる。したがって、このような場合（内筒が回転中に鍵を引いた時）台形形状の鍵山形突出部１３ａは、後方側のタンブラーピン６ｂに対して係止機能を発揮する。それ故に、台形形状の鍵山形突出部１３ａの数が増える程、引き抜き強度が強くなる。
【００２２】
【実施例】
本実施例では、切込みの深さに関し、１番切込み１２ａ〜３番切込み１２ｃまである旨を説明したが、必ずしも３種類である必要はない。２種類又は４種類であっても良い。また本実施例では、図２で示す鍵Ｙの挿入軸部分１１の上辺に、同一切込み間の鍵山形突出部１３ａが、その先端部１１ａから摘み部１０側の基部１１ｂに至るまで、異なる切込み間の鍵山形突出部１３を介して合計３個設けられている旨を説明したが、図５で示す鍵Ｙ１のように、挿入軸部分１１Ａの上辺と下辺にカイド溝付近の中央部を基準にして上下に対称的な同一切込み間の鍵山形突出部１３ａと、異なる切込みの鍵山形突出部１３をそれぞれ形成しても良い（ここでは、これを「第２実施例」とする）。この場合、全ての鍵山形突出部１３，１３ａの先端部は、被服に引っ掛からないように三角形状の尖端部分はカットされている。つまり、上辺と下辺の全ての鍵山形突出部１３，１３ａの先端部には、カット面１５，１５が形成されている。
【００２３】
図６乃至図１１は、第２実施例の鍵Ｙ１をロータリー式のディスクタンブラー錠Ｘ１に適用した場合の各概略説明図である。このディスクタンブラー錠Ｘ１の構成自体は、本発明の特定要件ではないが、鍵Ｙ１との関係があるので、以下、簡単に説明する。３Ａは外筒である。この外筒３Ａは後述する複数枚の仕切り板やディスクタンブラーを収納することができるように長筒状に形成されている。２Ａは第１実施例の内筒２に相当する円板状のキーガイドで、このキーガイド２Ａは外筒３Ａの前方側に回転可能に内装され、中央部には図７で示すように回転対称形状の鍵孔１Ａが形成されている。この鍵孔１Ａと同一の鍵孔１Ｂを有する複数枚の仕切り板２１は、外筒３Ａの後方側に回転可能に内装されたテールピース（キーガイドと一緒に回転する共働軸部材）２２の間に所定の空隙部を有して配設されている。
【００２４】
６Ａはキーガイド２Ａと最初の仕切り板２１との空隙内、最後の仕切り板２１とテールピース２２との空隙内、仕切り板２１，２１同志の空隙内にそれぞれ設けられた複数個のディスクタンブラーである。このディスクタンブラー６Ａは、後述のロッキングバー２８も含めて第１実施例の可動障害子６に相当する。
【００２５】
本実施例では合計９枚のディスクタンブラー６Ａが、キーガイド２Ａとテールピース２２に横架された支軸２３に取付けられている。ディスクタンブラー６Ａは、図８で示すように鍵孔１Ａに鍵Ｙ１が挿入されていない場合には、タンブラーバネ２４のバネ力により、その鍵挿通口２５がキーガイド２Ａの鍵孔１Ａ及び仕切り板２１の鍵孔１Ｂからオフセットするように傾倒している。
【００２６】
２６は上方の支軸２３から離間してキーガイド２Ａとテールピース２２に横架された小径の規制棒（バックアップピン）である。この規制棒２６は、図８の状態では、タンブラーバネ２４のバネ力によって反時計方向に回転したディスクタンブラー６Ａを所定位置に止めるストッパーとしての機能を発揮する。この時、外筒３Ａの軸方向長溝２７に入り込んでいる山形の係合部２８ａを有する長板状のロッキングバー２８は、前後の付勢バネ３０，３０のバネ力に抗して各ディスクタンブラー６Ａの周縁部の形成した逃し用切欠部２９に落ち込むことができない。
【００２７】
図９はディスクタンブラー錠Ｘ１に鍵Ｙ１の挿入軸部分１１Ａを挿入した場合の概略説明図である。傾倒中の各ディスクタンブラー６Ａは、鍵Ｙ１の挿入軸部分１１Ａが鍵挿通口２５に入り込むと、鍵挿通口２５の縁部と鍵山形突出部１３，１３ａとが摺接するので、タンブラーバネ２４のバネ力に抗してキーガイド２Ａの鍵孔１Ａに揃う方向へと移動する。
【００２８】
図１０は計９枚のディスクタンブラー６Ａが全ての鍵山形突出部１３，１３ａを介して１番切込み１２ａ〜３番切込み１２ｃにそれぞれ係合した状態を示している。このような場合には、図１１で示すようにロッキングバー２８は、各ディスクタンブラー６Ａの逃し用切欠部２９に落ち込むことができる。つまり、ロッキングバー２８の係合部２８ａは、シアーライン７に位置するので、鍵Ｙ１の操作により各ディスクタンブラー６Ａを回転させることができる。なお、３１は裏板である。またこの実施例の場合、鍵Ｙ１の挿入軸部分１１Ａは上下対称に形成されているので、裏表何れからでも合鍵Ｙ１を鍵孔１Ａに差し込むことができる。
【００２９】
ところで、鍵Ｙ１は、ディスクタンブラー錠Ｘ１がロータリー式の場合に適用できる旨を説明したが、必ずしもロータリー式に限定する趣旨ではない。例えば特開２０００−２５４１４６号、特開２００２−１１５４２６号などに記載されているように、鍵Ｙ１を内筒の鍵孔に挿入すると、タンブラーハネのバネ力に抗して各ディスクタンブラーが外筒の半径方向に移動し、それらの端部が内筒と外筒との間のシアーラインに揃うタイプのディスクタンブラー錠にも当然適用することができる。この場合のディスクタンブラー錠は、ロッキングバーを有せず、板状のディスクタンブラーのみが可動障害子となる。
【００３０】
【発明の効果】
以上の説明から明らかなように、本発明にあっては、次に列挙するような効果がある。
（１）内筒が回転中に鍵を引いた時、同一深さの切込みが隣接している台形形状の鍵山形突出部が他方側の可動障害子に対して係止機能を発揮させ、これにより引き抜き強度を強くすることができる。
（２）鍵の差込挿入時、可動障害子やドライバーピンを内筒或いは外筒の半径方向へ押し下げる移動量を少なくし、これにより可動障害子に対する負荷を少なくすると共に、鍵をポケットに入れた場合に被服に引っ掛からない、鍵の鍵山形突出部に指を押し当てても痛くないタンブラー錠用の鍵を提供することができる。この点、ディスクタンブラー錠Ｘ１の場合も同様である。また鍵Ｙ１の挿入軸部分１１Ａをディスクタンブラー錠Ｘ１の鍵孔１Ａ，１Ｂに完全に差し込んだ後、鍵Ｙ１を所定の位置まで回転する途中に鍵を引き抜こうとした場合或いは鍵を引き抜く方向に力が入った場合には、第１実施例と同様に鍵山形突出部１３ａは引抜き強度を発揮する。
【図面の簡単な説明】
図１乃至図４は本発明の第１実施例の鍵を示す各説明図。図５は本発明の第２実施例を示す説明図。図６乃至図１１はディスクタンブラー錠の一例に第２実施例の鍵を適用した場合の各概略説明図。
【図１】ピンタンブラー錠と鍵の関係を示す概略断面説明図。
【図２】鍵の主要部を示す説明図。
【図３】要部の一部を示す説明図。
【図４】内筒の回転途中における鍵山形状突出部と後方のピンタンブラーとの係合関係を示す説明図。
【図５】本発明の第２実施例を示す説明図。
【図６】ディスクタンブラー錠の内部構成を示す概略説明図。
【図７】ディスクタンブラー錠の正面図。
【図８】鍵を挿入していない場合のディスクタンブラー錠の内部構成を示す概略説明図。
【図９】鍵を挿入した場合のディスクタンブラー錠の内部構成を示す概略説明図。
【図１０】図９に於いて、各ディスクタンブラーと鍵の主要部との係合関係を示す概略説明図。
【図１１】各ディスクタンブラー等の主要構成部材が回転している状態を示す概略説明図。
【符号の説明】
Ｘ…ピンタンブラー錠、Ｘ…ディスクタンブラー錠、Ｙ，Ｙ１…鍵、１，１Ａ，１Ｂ…鍵孔、２…内筒、２Ａ…キーガイド、３，３Ａ…外筒、４…付勢バネ、５…ドライバーピン、６…タンブラーピン、６ａ，６ｂ…前後に隣同士のタンブラーピン、７…シアーライン、１０…摘み部、１１，１１Ａ…挿入軸部分、１１ａ…先端部、１１ｂ…基部、１２…切込み、１３…異なる切込み間の鍵山形突出部、１３ａ…同一切込み間の鍵山形突出部、１４…カット面、１５…前後の水平受け面、１６…前方傾斜面、１７…後方傾斜面、２１…仕切り板、２２…テールピース、２３…支軸、２４…タンブラーバネ、２５…鍵挿通口、２６…規制棒、２７…軸方向長溝、２８…ロッキングバー、２９…逃し用切欠部、３０…付勢バネ。
【図１】
2004036124.tif 000003
【図２】
2004036124.tif 000004
【図３】
2004036124.tif 000005
【図４】
2004036124.tif 000006
【図５】
2004036124.tif 000007
【図６】
2004036124.tif 000008
【図７】
2004036124.tif 000009
【図８】
2004036124.tif 000010
【図９】
2004036124.tif 000011
【図１０】
2004036124.tif 000012
【図１１】
2004036124.tif 000013